(57)【特許請求の範囲】
【請求項１】
コークス炉のためのコーベル構造であって、
複数の実質的に鉛直に配向された中心煙道と複数の斜めに配向された横煙道とを画定している複数の積み重ねられた耐火ブロック段の組立体を含むコーベル構造において、
前記組立体における少なくとも１つの耐火ブロック段が複数のさねはぎ相互接続された耐火ブロックを含み、
前記少なくとも１つの段の前記複数の相互接続された耐火ブロックは、縁部を画定していると共に、外向きに突出している細長い凸部と陥凹している細長い凹部とをそれぞれ含む、相互に実質的に直交する面を備え、
前記細長い凸部および前記細長い凹部は、前記耐火ブロックの前記相互に直交する面により画定されている前記縁部で互いに共に終端する各隣接した端部を含み、
前記複数の積み重ねられた耐火ブロック段は、前面を有する各末端ブロックを含み、前記前面は実質的に鉛直に配向された凸部と、前記凸部と平行な実質的に鉛直に配向された凹部とを含み、前記前面の前記凸部および前記凹部は、前記段内で隣接したブロックの実質的に鉛直の面の凹部および凸部それぞれと相互接続されている、
コーベル構造。
【請求項２】
コークス炉のためのコーベル構造であって、
複数の実質的に鉛直に配向された中心煙道と複数の斜めに配向された横煙道とを画定している複数の積み重ねられた耐火ブロック段の組立体を含むコーベル構造において、
前記組立体における少なくとも１つの耐火ブロック段が複数のさねはぎ相互接続された耐火ブロックを含み、
前記少なくとも１つの段の前記複数の相互接続された耐火ブロックは、縁部を画定していると共に、外向きに突出している細長い凸部と陥凹している細長い凹部とをそれぞれ含む、相互に実質的に直交する面を備え、
前記細長い凸部および前記細長い凹部は、前記耐火ブロックの前記相互に直交する面により画定されている前記縁部で互いに共に終端する各隣接した端部を含み、
前記少なくとも１つの段は、前記コーベル構造の各鉛直に配向された煙道の少なくとも１つの部分を各々が画定している複数の煙道ブロックを含み、
また、前記複数の煙道ブロックの各々は、前記中心煙道の横方向に配置されている、前記コーベル構造の少なくとも１つの斜めに配向された煙道の部分を画定し、
前記少なくとも１つの段は、対向する鏡像対の略十字形のブロックを含む、
コーベル構造。
【請求項３】
前記十字形ブロックは、細長い中心セクションと、内向きに突出している脚セクションと、外向きに突出している脚セクションとを備え、前記内向きに突出している脚セクションおよび前記外向きに突出している脚セクションの各々は前記細長い中心セクションに対して実質的に鉛直である、請求項２に記載のコーベル構造。
【請求項４】
前記内向きに突出している脚セクションは、平行な実質的に鉛直に配向された凸部と凹部とを含む、請求項３に記載のコーベル構造。
【請求項５】
前記十字形ブロックの側面は、前記外向きに突出している脚セクションの両側に一対の下向きに外向きに傾斜した面を含む、請求項４に記載のコーベル構造。
【請求項６】
コークス炉のためのコーベル構造であって、
複数の実質的に鉛直に配向された中心煙道と複数の斜めに配向された横煙道とを画定している複数の積み重ねられた耐火ブロック段の組立体を含むコーベル構造において、
前記組立体における少なくとも１つの耐火ブロック段が複数のさねはぎ相互接続された耐火ブロックを含み、
前記少なくとも１つの段の前記複数の相互接続された耐火ブロックは、縁部を画定していると共に、外向きに突出している細長い凸部と陥凹している細長い凹部とをそれぞれ含む、相互に実質的に直交する面を備え、
前記細長い凸部および前記細長い凹部は、前記耐火ブロックの前記相互に直交する面により画定されている前記縁部で互いに共に終端する各隣接した端部を含み、
前記少なくとも１つの段は、前記コーベル構造の各鉛直に配向された煙道の少なくとも１つの部分を各々が画定している複数の煙道ブロックを含み、
また、前記複数の煙道ブロックの各々は、前記中心煙道の横方向に配置されている、前記コーベル構造の少なくとも１つの斜めに配向された煙道の部分を画定し、
前記少なくとも１つの段は、複数の交互の、各対のスペーサブロックと相互接続されている略Ｉ形の横ブロックを含み、
前記Ｉ形横ブロックは、対向する端部セクションと、前記端部セクション間の中心セクションと、前記中心セクションの実質的な中間領域から外向きに突出しているボスとを含む、
コーベル構造。
【請求項７】
前記横ブロックは前記ボスの反対側に実質的に鉛直の側を含み、前記実質的に鉛直の側は、横方向の実質的に平面の陥凹後面を有する第１の陥凹部と、実質的に平面の陥凹中心面を有する第２の陥凹部とを画定している前記対向する端部セクション間に凹角セクションを含む、請求項６に記載のコーベル構造。
【請求項８】
コークス炉のためのコーベル構造であって、
複数の実質的に鉛直に配向された中心煙道と複数の斜めに配向された横煙道とを画定している複数の積み重ねられた耐火ブロック段の組立体を含むコーベル構造において、
前記組立体における少なくとも１つの耐火ブロック段が複数のさねはぎ相互接続された耐火ブロックを含み、
前記少なくとも１つの段の前記複数の相互接続された耐火ブロックは、縁部を画定していると共に、外向きに突出している細長い凸部と陥凹している細長い凹部とをそれぞれ含む、相互に実質的に直交する面を備え、
前記細長い凸部および前記細長い凹部は、前記耐火ブロックの前記相互に直交する面により画定されている前記縁部で互いに共に終端する各隣接した端部を含み、
前記少なくとも１つの段は、前記コーベル構造の各鉛直に配向された煙道の少なくとも１つの部分を各々が画定している複数の煙道ブロックを含み、
また、前記複数の煙道ブロックの各々は、前記中心煙道の横方向に配置されている、前記コーベル構造の少なくとも１つの斜めに配向された煙道の部分を画定し、
前記少なくとも１つの段は、複数の交互の、各対のスペーサブロックと相互接続されている略Ｉ形の横ブロックを含み、
前記スペーサブロックは下向きに外向きに傾斜した横方向側面を含む、
コーベル構造。
【請求項９】
コークス炉のためのコーベル構造であって、
複数の実質的に鉛直に配向された中心煙道と複数の斜めに配向された横煙道とを画定している複数の積み重ねられた耐火ブロック段の組立体を含むコーベル構造において、
前記組立体における少なくとも１つの耐火ブロック段が複数のさねはぎ相互接続された耐火ブロックを含み、
前記少なくとも１つの段の前記複数の相互接続された耐火ブロックは、縁部を画定していると共に、外向きに突出している細長い凸部と陥凹している細長い凹部とをそれぞれ含む、相互に実質的に直交する面を備え、
前記細長い凸部および前記細長い凹部は、前記耐火ブロックの前記相互に直交する面により画定されている前記縁部で互いに共に終端する各隣接した端部を含み、
前記少なくとも１つの段は、前記コーベル構造の各鉛直に配向された煙道の少なくとも１つの部分を各々が画定している複数の煙道ブロックを含み、
また、前記複数の煙道ブロックの各々は、前記中心煙道の横方向に配置されている、前記コーベル構造の少なくとも１つの斜めに配向された煙道の部分を画定し、
前記少なくとも１つの段は、複数の交互の、各対のスペーサブロックと相互接続されている略Ｉ形の横ブロックを含み、
前記横煙道の斜めに配向された煙道セクションを画定している横煙道ブロックをさらに備え、前記横煙道ブロックは、前記ブロックの一方の側から外向きに延在しているボスと、前記ボスの反対側の前記ブロックの側から外向きに延在している略Ｌ形の段部とを含む、
コーベル構造。
【請求項１０】
前記ボスは、形成されている凸部および凹部それぞれを有する対向する側面を含む、請求項９に記載のコーベル構造。
【請求項１１】
前記横煙道ブロックは、煙道部への実質的に矩形の開口部を画定している上面を有し、前記開口部は、前記煙道ブロックの長手方向軸および緯度方向軸に対して対称に配置されている、請求項９に記載のコーベル構造。
【請求項１２】
前記横煙道ブロックは、煙道部への実質的に矩形の開口部を画定している上面を有し、前記開口部は、前記煙道ブロックの長手方向中心線に対して非対称にオフセットされているが、前記煙道ブロックの緯度方向中心線に対して対称に配置されている、請求項９に記載のコーベル構造。
【請求項１３】
コークス炉のためのコーベル構造であって、
複数の実質的に鉛直に配向された中心煙道と複数の斜めに配向された横煙道とを画定している複数の積み重ねられた耐火ブロック段の組立体を含むコーベル構造において、
前記組立体における少なくとも１つの耐火ブロック段が複数のさねはぎ相互接続された耐火ブロックを含み、
前記少なくとも１つの段の前記複数の相互接続された耐火ブロックは、縁部を画定していると共に、外向きに突出している細長い凸部と陥凹している細長い凹部とをそれぞれ含む、相互に実質的に直交する面を備え、
前記細長い凸部および前記細長い凹部は、前記耐火ブロックの前記相互に直交する面により画定されている前記縁部で互いに共に終端する各隣接した端部を含み、
前記少なくとも１つの段は、前記コーベル構造の各鉛直に配向された煙道の少なくとも１つの部分を各々が画定している複数の煙道ブロックを含み、
また、前記複数の煙道ブロックの各々は、前記中心煙道の横方向に配置されている、前記コーベル構造の少なくとも１つの斜めに配向された煙道の部分を画定し、
前記少なくとも１つの段は、ベースセクションと、前記ベースセクションの一方の端部から上向きに延在している煙道セクションとを一体的に含む煙道ブロックの背合わせ対を備える、
コーベル構造。
【発明の詳細な説明】
【技術分野】
【０００１】
関連出願の相互参照
[0001]本願は、２０１４年１１月２１日に出願された米国仮特許出願第６２／０８２，９２２号による国内優先権の利益に関し、米国特許法第１１９条（ｅ）に基づいてそれを主張するものであり、その内容全体が参照により本明細書に明示的に援用されている。
【０００２】
[0002]本明細書において開示されている実施形態は、全般的に、コークス炉、特にコークス炉と関連するコーベル構造に関する。好適な実施形態では、本明細書において開示されているコーベル構造は、一体構造耐火ブロックの組立体で形成されている。
【背景技術】
【０００３】
[0003]コークス炉は、従来、多種多様な、異なって成形された耐火煉瓦から作り上げられている隣接した平行壁のバッテリが存在する、巨大な耐火煉瓦構造を備える。煉瓦は、高温および強い機械的荷重に耐えることができなければならない。同時に、壁の内側は煙道ダクト、バーナ、煙道ガス制御通路等を含有している。該炉の詳細な設計は、通常、炉の内部での必要な熱分配と、壁を通り抜けるガス流とを得るために、かなり複雑である。
【０００４】
[0004]したがって、上記から、コークス炉が比較的高価な構造体であり、点検および修理のためのいかなるダウンタイムも経営者にとってかなりの経済的損失を意味し得ると言える。
【０００５】
[0005]さらに、それらから壁が作製されるセラミック煉瓦の製造は比較的費用がかかり、したがって、通常、壁に使用される異なる種類の煉瓦の数を減少させる必要がある。しかし、該構造物において比較的大きなセラミック煉瓦を利用する設計コンセプトを持つことは望ましくない。過剰に大きな煉瓦は、専門の機械的吊上げデバイスを使用せずに取り扱われることが不可能である。さらに、溶融石英製品を形成するために機械で圧縮された、６５０ｍｍより大きな寸法を有する煉瓦は、一般に入手不可能である。このサイズより大きな煉瓦は手作業で成形され得るが、これらはずっと高価である。大きな煉瓦は従来の石英から機械で圧縮され得るが、従来の石英煉瓦は、それらから作製された壁が、溶融石英煉瓦の昇温時間より何倍も多い時間である昇温時間を必要とするという点において、非常に深刻な欠点を有すると考えられる。
【０００６】
[0006]米国特許第６，０６６，２３６号、同第８，２６６，８５３号、同第８，６４０，６３５号（各そのような特許の内容全体が参照により本明細書に明示的に援用されている）は、コークス炉のコーベル構造を形成するために、比較的大サイズの一体構造耐火ブロックが組み立てられてもよいことを提案している。一般に、そのような大サイズの一体構造耐火ブロックの組立体は、ずっと少ない製造ダウンタイムでコークス炉が建設されることおよび／または修理されることを可能にする。
【０００７】
[0007]コークス炉のコーベル構造に関するそのような先行提案はそれら意図された目的にとって申し分ないが、継続的改善が求められている。本明細書において開示されている実施形態が向けられているような改善をもたらすことを目的としている。
【発明の概要】
【０００８】
[0008]本明細書において開示されている実施形態のコークス炉のコーベル構造は、複数の実質的に垂直（鉛直）に配向された中心煙道と複数の斜めに配向された横煙道とを画定している、複数の積み重ねられた耐火ブロック段の組立体を含む。該組立体における少なくとも１つの耐火ブロック段が、複数のさねはぎ相互接続された耐火ブロックを含む。該少なくとも１つの段の該複数の相互接続された耐火ブロックは、縁部を画定していると共に、外向きに突出している細長い凸部および陥凹している細長い凹部をそれぞれ含む、相互に実質的に直交する面を備える。該細長い凸部および細長い凹部は、耐火ブロックの相互に直交する面により画定されている縁部で、互いに共に終端する各隣接した端部を含む。
【０００９】
[0009]本明細書の実施形態により提供されている凸部と凹部との相互接続は、耐火ブロックの組立体をもたらす。さらに、凸部と凹部との相互接続は、コークス炉からの煙道ガスの漏出を（完全に防止するとは言わないまでも）実質的に最小限にするために、隣接して相互接続されている耐火ブロック間の確実な目地シール（ｊｏｉｎｔ  ｓｅａｌ）をもたらす。
【００１０】
[0010]複数の積み重ねられた耐火ブロック段は、前面を有する各末端ブロックを含んでいてもよく、該前面は、実質的に垂直に配向された凸部と、該凸部と平行な実質的に垂直に配向された凹部とを含み、前面の凸部および凹部は、段内の隣接したブロックの実質的に垂直の面の凹部および凸部それぞれと相互接続されている。
【００１１】
[0011]少なくとも１つの段内のブロックの上面は、隣接して積み重ねられた段の底面に形成されている、対応するセットの長手方向に延在している凸部を受容するために、平行セットの長手方向に延在している凹部を設けられていてもよい。
【００１２】
[0012]少なくとも１つの段が、コーベル構造の各垂直に配向された煙道の少なくとも１つの部分を各々が画定している複数の煙道ブロックを設けられていてもよい。また、煙道ブロックのある実施形態が、中心煙道の横方向に配置されている、コーベル構造の少なくとも１つの斜めに配向された煙道の部分をもたらしてもよい。
【００１３】
[0013]少なくとも１つの段内のいくつかのブロックが、対向する鏡像対の略十字形のブロックを含んでいてもよい。該十字形ブロックは、細長い中心セクションと、内向きに突出している脚セクションと、外向きに突出している脚セクションとを備えていてもよく、内向きに突出している脚セクションおよび外向きに突出している脚セクションの各々は、細長い中心セクションに対して実質的に垂直である。内向きに突出している脚セクションは、平行な実質的に垂直に配向された凸部と凹部とを含んでいてもよい。いくつかの実施形態によれば、十字形ブロックの側面は、外向きに突出している脚セクションの両側に一対の下向きに外向きに傾斜した面を含む。
【００１４】
[0014]コーベル構造のある実施形態が、複数の交互の、各対のスペーサブロックと相互接続されている略Ｉ形の横ブロックを有するブロック段を含むであろう。該Ｉ形の横ブロックは、対向する端部セクションと、該端部セクション間の中心セクションと、該中心セクションの実質的な中間領域から外向きに突出しているボスとを含んでいてもよい。いくつかの実施形態による横ブロックは、ボスの反対側の実質的に垂直の側を含み、該実質的に垂直の側は、横の実質的に平面の陥凹後面を有する第１の陥凹部と、実質的に平面の陥凹中心面を有する第２の陥凹部とを画定している対向する端部セクション間に凹角セクションを含む。
【００１５】
[0015]下向きに外向きに傾斜した横方向側面を含むスペーサブロックが、コーベル構造の段内に設けられていてもよい。
【００１６】
[0016]また、コーベル構造の横煙道の斜めに配向された煙道セクションを画定している横煙道ブロックが設けられていてもよい。そのような横煙道ブロックは、ブロックの一方の側から外向きに延在しているボスと、ボスの反対側のブロックの側から外向きに延在している略Ｌ形の段部とを含んでいてもよい。いくつかの実施形態によれば、ボスは、それぞれ形成されている凸部と凹部とを有する対向する側面を含む。横煙道ブロックは、煙道部への実質的に矩形の開口部を画定している上面を有していてもよく、該開口部は、煙道ブロックの長手方向軸および緯度方向軸に対して対称に配置されていてもよいか、またはブロックの長手方向中心線に対して非対称にオフセットされているが、その緯度方向中心線に対して対称に配置されている開口部を有していてもよい。
【００１７】
[0017]コーベル構造の段が、ベースセクションと、該ベースセクションから上向きに延在しているプラットフォームセクションとを有する複数の横ブロックで構成されている横ブロックを設けられていてもよい。横ブロックは、コーベル構造の中心煙道の実質的に垂直に配向された中心煙道部と、対向する、コーベル構造の横煙道の斜めに配向された横煙道部とを備えていてもよい。
【００１８】
[0018]コーベル構造は、ベースセクションと、該ベースセクションの一方の端部から上向きに延在している煙道セクションとを一体的に含む煙道ブロックの背合わせ対を備えるブロック段を有していてもよい。
【００１９】
[0019]本発明のこれらのおよび他の態様ならびに利点は、本発明の好適な例示的実施形態の以下の詳細な説明に対して熟慮された後、より明確になるであろう。
【００２０】
[0020]本発明の開示されている実施形態は、その図面と併せて、例示的非限定的説明的実施形態の以下の詳細な説明を参照することにより、よりよく、より完全に理解されるであろう。
【図面の簡単な説明】
【００２１】
【図１】[0021]コークス炉段上に支持されている、本発明の実施形態による例示的コーベル構造を示す斜視図。
【図２Ａ】[0022]図１に示されているコーベル構造だけを示す斜視図。
【図２Ｂ】[0023]図２Ａに示されているコーベル構造の上面平面図。
【図２Ｃ】[0024]図２Ｂの線２Ｃ−２Ｃに沿って取った、図２Ａに示されているコーベル構造の横断面立面図。
【図３】[0025]コーベル構造を形成している各段を示す、図１に示されているコーベル構造の分解斜視図。
【図４】[0026]コーベル構造を形成している第１のブロック段の拡大斜視組立図。
【図４Ａ−１】[0027]コーベル構造を形成している第１のブロック段と関連する末端ブロックの斜視図。
【図４Ａ−２】コーベル構造を形成している第１のブロック段と関連する末端ブロックの上面平面図。
【図４Ａ−３】コーベル構造を形成している第１のブロック段と関連する末端ブロックの前面立面図。
【図４Ｂ−１】[0028]コーベル構造を形成している第１のブロック段と関連する第１の煙道ブロックの斜視図。
【図４Ｂ−２】コーベル構造を形成している第１のブロック段と関連する第１の煙道ブロックの上面平面図。
【図４Ｂ−３】図４Ｂ−２の線４Ｂ−３に沿って取った、コーベル構造を形成している第１のブロック段と関連する第１の煙道ブロックの横断面立面図。
【図４Ｃ−１】[0029]コーベル構造を形成している第１のブロック段と関連する第２の煙道ブロックの斜視図。
【図４Ｃ−２】コーベル構造を形成している第１のブロック段と関連する第２の煙道ブロックの上面平面図。
【図４Ｃ−３】図４Ｃ−２の線４Ｃ−３に沿って取った、コーベル構造を形成している第１のブロック段と関連する第２の煙道ブロックの横断面立面図。
【図４Ｄ−１】[0030]コーベル構造を形成している第１のブロック段と関連する第３の煙道ブロックの斜視図。
【図４Ｄ−２】コーベル構造を形成している第１のブロック段と関連する第３の煙道ブロックの上面平面図。
【図４Ｄ−３】図４Ｄ−２の線４Ｄ−３に沿って取った、コーベル構造を形成している第１のブロック段と関連する第３の煙道ブロックの横断面立面図。
【図５】[0031]コーベル構造を形成している第２のブロック段の拡大斜視組立図。
【図５Ａ−１】[0032]コーベル構造を形成している第２のブロック段と関連する末端ブロックの斜視図。
【図５Ａ−２】コーベル構造を形成している第２のブロック段と関連する末端ブロックの上面平面図。
【図５Ａ−３】コーベル構造を形成している第２のブロック段と関連する末端ブロックの前面立面図。
【図５Ｂ−１】[0033]コーベル構造を形成している第２のブロック段と関連する横ブロックの斜視図。
【図５Ｂ−２】コーベル構造を形成している第２のブロック段と関連する横ブロックの上面平面図。
【図５Ｂ−３】コーベル構造を形成している第２のブロック段と関連する横ブロックの前面立面図。
【図５Ｃ−１】[0034]コーベル構造を形成している第２のブロック段と関連するスパナブロックの斜視図。
【図５Ｃ−２】コーベル構造を形成している第２のブロック段と関連するスパナブロックの上面平面図。
【図５Ｃ−３】コーベル構造を形成している第２のブロック段と関連するスパナブロックの前面立面図。
【図５Ｄ−１】[0035]コーベル構造を形成している第２のブロック段と関連するスペーサブロックの斜視図。
【図５Ｄ−２】コーベル構造を形成している第２のブロック段と関連するスペーサブロックの上面平面図。
【図５Ｄ−３】コーベル構造を形成している第２のブロック段と関連するスペーサブロックの側面立面図。
【図６】[0036]コーベル構造を形成している第３のブロック段の拡大斜視組立図。
【図６Ａ−１】[0037]コーベル構造を形成している第３のブロック段と関連する末端ブロックの斜視図。
【図６Ａ−２】コーベル構造を形成している第３のブロック段と関連する末端ブロックの上面平面図。
【図６Ａ−３】コーベル構造を形成している第３のブロック段と関連する末端ブロックの前面立面図。
【図６Ｂ−１】[0038]コーベル構造を形成している第３のブロック段と関連する第１の横煙道ブロックの斜視図。
【図６Ｂ−２】コーベル構造を形成している第３のブロック段と関連する第１の横煙道ブロックの上面平面図。
【図６Ｂ−３】図６Ｂ−２の線６Ｂ−３に沿って取った、コーベル構造を形成している第３のブロック段と関連する第１の横煙道ブロックの緯度方向横断面立面図。
【図６Ｂ−４】図６Ｂ−２の線６Ｂ−４に沿って取った、コーベル構造を形成している第３のブロック段と関連する第１の横煙道ブロックの長手方向横断面。
【図６Ｃ−１】[0039]コーベル構造を形成している第３のブロック段と関連する第２の横煙道ブロックの斜視図。
【図６Ｃ−２】コーベル構造を形成している第３のブロック段と関連する第２の横煙道ブロックの上面平面図。
【図６Ｃ−３】図６Ｃ−２の線６Ｃ−３に沿って取った、コーベル構造を形成している第３のブロック段と関連する第２の横煙道ブロックの緯度方向横断面立面図。
【図６Ｃ−４】図６Ｃ−２の線６Ｃ−４に沿って取った、コーベル構造を形成している第３のブロック段と関連する第２の横煙道ブロックの長手方向横断面図。
【図６Ｄ−１】[0040]コーベル構造を形成している第３のブロック段と関連する第１のタイプのスペーサブロックの斜視図。
【図６Ｄ−２】コーベル構造を形成している第３のブロック段と関連する第１のタイプのスペーサブロックの上面平面図。
【図６Ｄ−３】コーベル構造を形成している第３のブロック段と関連する第１のタイプのスペーサブロックの前面立面図。
【図６Ｅ−１】[0041]コーベル構造を形成している第３のブロック段と関連する第２のタイプのスペーサブロックの斜視図。
【図６Ｅ−２】コーベル構造を形成している第３のブロック段と関連する第２のタイプのスペーサブロックの上面平面図。
【図６Ｅ−３】コーベル構造を形成している第３のブロック段と関連する第２のタイプのスペーサブロックの前面立面図。
【図７】[0042]コーベル構造を形成している第４のブロック段の拡大斜視組立図。
【図７Ａ−１】[0043]コーベル構造を形成している第４のブロック段と関連する末端ブロックの斜視図。
【図７Ａ−２】コーベル構造を形成している第４のブロック段と関連する末端ブロックの上面平面図。
【図７Ａ−３】コーベル構造を形成している第４のブロック段と関連する末端ブロックの前面立面図。
【図７Ｂ−１】[0044]コーベル構造を形成している第４のブロック段と関連する横煙道ブロックの斜視図。
【図７Ｂ−２】コーベル構造を形成している第４のブロック段と関連する横煙道ブロックの上面平面図。
【図７Ｂ−３】図７Ｂ−２の線７Ｂ−３に沿って取った、コーベル構造を形成している第４のブロック段と関連する横煙道ブロックの長手方向横断面立面図。
【図７Ｂ−４】図７Ｂ−２の線７Ｂ−４に沿って取った、コーベル構造を形成している第４のブロック段と関連する横煙道ブロックの緯度方向横断面図。
【図７Ｃ−１】[0045]コーベル構造を形成している第４のブロック段と関連する第１のスパナ煙道ブロックの斜視図。
【図７Ｃ−２】コーベル構造を形成している第４のブロック段と関連する第１のスパナ煙道ブロックの上面平面図。
【図７Ｃ−３】図７Ｃ−２の線７Ｃ−３に沿って取った、コーベル構造を形成している第４のブロック段と関連する第１のスパナ煙道ブロックの横断面立面図。
【図７Ｄ−１】[0046]コーベル構造を形成している第４のブロック段と関連する第２のスパナ煙道ブロックの斜視図。
【図７Ｄ−２】コーベル構造を形成している第４のブロック段と関連する第２のスパナ煙道ブロックの上面平面図。
【図７Ｄ−３】図７Ｄ−２の線７Ｄ−３に沿って取った、コーベル構造を形成している第４のブロック段と関連する第２のスパナ煙道ブロックの横断面立面図。
【図７Ｅ−１】[0047]コーベル構造を形成している第４のブロック段と関連する横スペーサブロックの斜視図。
【図７Ｅ−２】コーベル構造を形成している第４のブロック段と関連する横スペーサブロックの上面平面図。
【図７Ｅ−３】コーベル構造を形成している第４のブロック段と関連する横スペーサブロックの前面立面図。
【発明を実施するための形態】
【００２２】
[0048]添付の図１は、コークス炉バッテリと関連する段Ｐ上に支持されている、本発明の実施形態による例示的コーベル構造１２を示す。この関連で、当然のことながら、従来のコークス炉バッテリが複数の離間された段Ｐを含み、各々がコーベル構造１２を支持しており、チェッカ煉瓦（図示せず）を設けられている熱交換器領域ＲＲ（図２Ｃ参照）をそれらの間に画定している。コーベル構造１２は、個々のコークス炉（図示せず）の耐火壁と耐火床とを支持している。
【００２３】
[0049]図２Ａ〜２Ｃおよび図３は、コーベル構造１２の構成要素を詳細に示す。この関連で、コーベル構造１２は、基本的に、１つがもう１つの上に積み重ねられている（以下により詳細に説明される）特別に構成された耐火ブロックから組み立てられている４つの段２００、３００、４００および５００（図２Ｃ参照）で構成されていることが観察されるであろう。該段１００、２００、３００および４００は、その中での空気とガスとの燃焼、および熱交換器領域との間の加熱された排ガスの移送を可能にするために、中心の実質的に垂直に配向された煙道６０と、コークス炉壁（図示せず）の壁の内部の対応する煙道と連通している横方向の実質的に斜めに配向された煙道７２、７４とを集合的に画定している。
【００２４】
[0050]図４は、コーベル構造の第１の段１００を形成している相互接続された耐火ブロックの斜視組立図であり、図４Ａ−１から図４Ｄ−３まではその個々の耐火ブロックの各図を示す。この関連で、図４Ａ−１から図４Ａ−３までは第１の段１００の末端ブロック１０２を示す。図示の通り、末端ブロック１０２は、対向する上面１０３および底面１０４それぞれと、該上面１０３および該底面１０４と実質的に相互に直交しており、それにより各平行対の上縁部１０７、１０８および下縁部１０９、１１０を画定している、対向する前面１０５および後面１０６それぞれとを有する、略Ｔ形のブロックである。
【００２５】
[0051]上面１０３は、平行対の実質的に水平の細長い陥凹部１１２、１１３を含む。前面１０５は、実質的に垂直の細長い突出凸部１１４と実質的に垂直の陥凹部１１５とを含む。底面１０４は、平行対の実質的に水平の細長い突出凸部１１６、１１７を含む。凹部１１２および凸部１１４は、相互に直交する面１０３と１０５との縁部１０７で共に終端する各隣接した端部を含むことが観察されるであろう。同様に、凹部１１５および凸部１１７は、相互に直交する面１０４と１０５との縁部１０９で共に終端する各隣接した端部を含む。一方では凹部１１３、１１５および他方では凸部１１４、１１６は、相互に直交する対の面１０３、１０５および１０４、１０５それぞれの縁部１０７および１０９で共に終端する各端部を有する。
【００２６】
[0052]図４Ｂ−１から図４Ｂ−３までは、コーベル構造１２を形成している第１のブロック段１００と関連する第１の煙道ブロック１２０を示す。図示の通り、末端ブロック１０２と同様に、第１の煙道ブロック１２０は、実質的に垂直の煙道セクション６０ａを画定している略Ｔ形のブロックに対応している。煙道セクション６０ａは、ブロック１２０の長手方向軸および緯度方向軸に対して対称に配置されている、平面図において見られると実質的に矩形形状の開口部である。
【００２７】
[0053]煙道ブロック１２０は、対向する上面１２３および底面１２４それぞれと、該上面１２３および該底面１２４と実質的に相互に直交しており、それにより各平行対の上縁部１２７、１２８および下縁部１２９、１３０を画定している、対向する前面１２５および後面１２６それぞれとを有する。
【００２８】
[0054]上面１２３は、平行対の実質的に水平の細長い凹部１３２、１３３を含む。前面１２５は、実質的に垂直の細長い突出凸部１３４と、該凸部１３４と平行な、実質的に垂直の陥凹部１３５とを含む。底面１２４は、平行対の実質的に水平の細長い突出凸部１３６、１３７を含む。後面１２６は、実質的に垂直の細長い陥凹部１３８と、該凹部１３８と平行な、実質的に垂直の突出凸部１３９とを含む。
【００２９】
[0055]凹部１３２と凸部１３４とは、相互に直交する面１２３と１２５との縁部１２７で共に終端する各隣接した端部を含むことが観察されるであろう。同様に、凹部１３５と凸部１３７とは、相互に直交する面１２４と１２５との縁部１２９で共に終端する各隣接した端部を含む。一方では凹部１３３、１３５および他方では凸部１３４、１３６は、相互に直交する対の面１２３、１２５および１２４、１２５それぞれの縁部１２７および１２９で共に終端する各端部を有する。凹部１３８および凸部１３９は、凹部１３２、１３３と、相互に直交する面１２３と面１２６との縁部１２８でそれぞれ共に終端する各隣接した端部を含む。
【００３０】
[0056]ブロック１０２の平行な凹部１１２、１１３がブロック１２０の凹部１３２、１３３それぞれと長手方向に整合していることが図４に認められるであろう。さらに、ブロック１２０の後面１２６上に形成されている凹部１３８および凸部１３９は、間に係止相互接続を実現するために、末端ブロック１０２の前面上に形成されている凸部１１４および凹部１１５と相応に結合されるであろう。
【００３１】
[0057]図４Ｃ−１から図４Ｃ−３までは、コーベル構造１２を形成している第１のブロック段１００と関連する第２の煙道ブロック１４０を示す。図示の通り、末端ブロック１０２および第１の煙道ブロック１２０と同様に、第２の煙道ブロック１４０は、実質的に垂直の煙道セクション６０ａ１を画定している対応する略Ｔ形のブロックである。煙道セクション６０ａ１は、平面図において見られると実質的に方形の開口部であり、ブロック１４０の長手方向中心線に対して非対称にオフセットされているが、その緯度方向中心線に対して対称に配向されている。
【００３２】
[0058]煙道ブロック１４０は、対向する上面１４３および底面１４４それぞれと、該上面１４３および該底面１４４と実質的に相互に直交しており、それにより各平行対の上縁部１４７、１４８および下縁部１４９、１５０を画定している、対向する前面１４５および後面１４６それぞれとを有する。
【００３３】
[0059]上面１４３は、平行対の実質的に水平の細長い陥凹部１５２、１５３を含む。前面１４５は、実質的に垂直の細長い凸部１５４と、該凸部１５４と平行な実質的に垂直の陥凹部１５５とを含む。底面１４４は、平行対の実質的に水平の細長い突出凸部１５６、１５７を含む。後面１４６は、実質的に垂直の細長い陥凹部１５８と、該凹部１５８と平行な実質的に垂直の突出凸部１５９とを含む。
【００３４】
[0060]凹部１５２と凸部１５４とは、相互に直交する面１４３と１４５との縁部１４７で共に終端する各隣接した端部を含むことが観察されるであろう。同様に、凹部１５５と凸部１５７とは、相互に直交する面１４４と１４５との縁部１４９で共に終端する各隣接した端部を含む。一方では凹部１５３、１５５および他方では凸部１５４、１５６が、相互に直交する対の面１４３、１４５および１４４、１４５それぞれの縁部１４７および１４９で共に終端する各端部を有する。凹部１５８および凸部１５９は、凹部１５２、１５３と、相互に直交する面１４３と１４６との縁部１４８でそれぞれ共に終端する各隣接した端部を含む。
【００３５】
[0061]ブロック１２０の平行な凹部１３２、１３３はブロック１４０の凹部１５２、１５３それぞれと長手方向に整合していることが、図４に認められるであろう。さらに、ブロック１４０の後面１４６上に形成されている凹部１５８および凸部１５９は、間に係止相互接続を実現するために、ブロック１２０の前面上に形成されている凸部１３４および凹部１３５と相応に結合される。
【００３６】
[0062]図４Ｄ−１から図４Ｄ−３までは、コーベル構造１２を形成している第１のブロック段１００と関連する第３の煙道ブロック１６０を示す。図示の通り、前述のブロック１０２、１２０および１４０と同様に、第３の煙道ブロック１６０は、実質的に垂直の煙道セクション６０ａ２を画定している対応する略Ｔ形のブロックである。煙道セクション６０ａ２は、ブロック１６０の長手方向中心線および緯度方向中心線の両方に対して対称に配向されている、平面図において見られると実質的に方形の開口部である。
【００３７】
[0063]煙道ブロック１６０は、対向する上面１６３および底面１６４それぞれと、該上面１６３および該底面１６４と実質的に直交しており、それにより各平行対の上縁部１６７、１６８および下縁部１６９、１７０を画定している、対向する前面１６５および後面１６６それぞれとを有する。
【００３８】
[0064]上面１６３は、平行対の実質的に水平の細長い陥凹部１７２、１７３を含む。前面１６５は、実質的に垂直の細長い突出凸部１７４と、該凸部１７４と平行な実質的に垂直の陥凹部１７５とを含む。底面１６４は、平行対の実質的に水平の細長い突出凸部１７６、１７７を含む。後面１６６は、実質的に垂直の細長い陥凹部１７８と、該凹部１７８と平行な実質的に垂直の突出凸部１７９とを含む。
【００３９】
[0065]凹部１７２と凸部１７４とは、相互に直交する面１６３と１６５との縁部１６７で共に終端する各隣接した端部を含むことが観察されるであろう。同様に、凹部１７５と凸部１７７とは、相互に直交する面１６４と１６５との縁部１６９で共に終端する各隣接した端部を含む。一方では凹部１７３、１７５および他方では凸部１７４、１７６が、相互に直交する対の面１６３、１６５および１６４、１６５それぞれの縁部１６７および１６９で共に終端する各端部を有する。凹部１７８および凸部１７９は、凹部１７２、１７３と、相互に直交する面１６３と１６６との縁部１６８でそれぞれ共に終端する各隣接した端部を含む。
【００４０】
[0066]ブロック１４０の平行な凹部１５２、１５３はブロック１６０の凹部１７２、１７３それぞれと長手方向に整合することが、図４に認められるであろう。さらに、ブロック１６０の後面１６６上に形成されている凹部１７８および凸部１７９は、間に係止相互接続を実現するために、ブロック１４０の前面上に形成されている凸部１５４および凹部１５５と相応に結合されるであろう。
【００４１】
[0067]図５は、コーベル構造の第２の段２００を形成している相互接続された耐火ブロックの斜視組立図であり、図５Ａ−１から図５Ｄ−３まではその個々の耐火ブロックの各図を示す。この関連で、図５Ａ−１から図５Ａ−３までは第２の段２００の末端ブロック２０２を示す。図示の通り、末端ブロック２０２は、対向する上面２０３および底面２０４それぞれを有する略Ｔ形のブロックである。一対の前面２０５ａ、２０５ｂおよび後面２０６が上面２０３および底面２０４と実質的に相互に直交しており、それにより各平行対の上縁部２０７、２０８および下縁部２０９、２１０を画定している。
【００４２】
[0068]ブロック２０２は、横方向の実質的に平面の陥凹前面２０１ａ、２０１ｂを有する第１の陥凹部２０１−１と中心の実質的に平面の陥凹面２０１ｃを有する第２の陥凹部２０１−２とを画定している前面２０５ａ、２０５ｂ間に凹角セクションを含む。面２０１ａ〜２０１ｃの各々は、共に各縁部を構築するように、平面の上面２０３と相互に直交している。
【００４３】
[0069]上面２０３は、平行対の実質的に水平の細長い陥凹部２１２、２１３を含む。前面２０１ａは実質的に垂直の細長い突出凸部２１４を含み、一方、前面２０１ｂは実質的に垂直の陥凹部２１５を含む。底面２０４は、平行対の実質的に水平の細長い突出凸部２１６、２１７を含む。凹部２１２および凸部２１４は、上面２０３と、それと相互に直交する陥凹前面２０１ａ、２０１ｂの各々とにより形成されている各縁部で共に終端する各隣接した端部を含むことが観察されるであろう。同様に、凹部２１５および凸部２１７は、相互に直交する底面２０４と共に各々形成する陥凹前面２０１ａ、２０１ｂの縁部で共に終端する各隣接した端部を含む。凸部２１４および２１６は、相互に直交する底面２０４と陥凹前面２０１ａとの間に形成されている縁部で共に終端する各端部を有し、一方、凹部２１３および２１５は、相互に直交する上面２０３と陥凹前面２０１ｂとの間に形成されている縁部で共に終端する各端部を有する。
【００４４】
[0070]図５に示されている通り、コーベル１２を形成している第２の耐火ブロック段２００は対向する鏡像対の略十字型のブロック２２０を含み、その代表の１つが図５Ｂ−１から５Ｂ−３までに示されている。図示の通り、ブロック２２０の各々は、細長い中心セクション２２１ａと、各々が該中心セクション２２１ａに対して実質的に垂直な、内向きに突出している脚セクション２２１ｂおよび外向きに突出している脚セクション２２１ｃとを含む。中心セクションの上面２２３は、内向きに突出している脚セクション２２１ｂにより分離されている各前面２２５ａおよび２２５ｂと相互に直交している。また、ブロック２２０の中心セクション２２１ａは、上面２２３および底面２２４それぞれの各々と相互に直交する対向対の端面２２６ａ、２２６ｂを有する。上面２２３は細長い凹部２３２を画定しており、一方、対向する端面２２６ａ、２２６ｂの各々は各凸部２３３ａおよび凹部２３３ｂそれぞれを画定している。
【００４５】
[0071]内向きに突出している脚セクション２２１ｂは、実質的に垂直に配向された平行な細長い凹部２３４と凸部２３５とを含む。底面２２４は外向きに突出している細長い実質的に水平の凸部２３６を含む。一方では凹部２３２および２３３ｂならびに他方では凸部２３３ａ、２３６は、ブロック２２０の細長い中心セクション２２１ａの長手方向範囲を本質的に画定するように、端から端まで繋げられている。すなわち、水平凹部２３２および垂直凸部２３３ａは、相互に直交する上面２２３と端面２２６ａとの間に形成されている縁部で共に終端する各端部を有し、一方、水平の凹部２３２および垂直の凹部２３３ｂは、相互に直交する上面２２３と端面２２６ｂとの間に形成されている縁部で共に終端する各端部を有する。水平の凸部２３６は、垂直の側面２２６ａおよび２２６ｂそれぞれに形成されている垂直凸部２３３ａおよび垂直凹部２３３ｂの各々の各端部で共に終端する対向する端部を有する。
【００４６】
[0072]ブロック２２０の側面は、外向きに突出している脚部２２１ｃの両側に、一対の下向きに外向きに傾斜した面２３７ａ、２３７ｂを含む。該傾斜した面２３７ａ、２３７ｂの各々は、第２の段２００内のブロック２２０の配置に依存して、横煙道７２、７４それぞれの最下セクション７２ａ、７４ａを画定している（図２Ｃ参照）。さらに、対向対のブロック２２０が（例えば、セクション２２１ｂの対向する凹部２３４との各凸部２３５の係合により）互いに相互接続された場合、その対向する前面２２５ａおよび２２５ｂは中心煙道６０のセクション６０ｂを画定する（図２Ｃ参照）ことが観察されるであろう。
【００４７】
[0073]図５に示されている通り、相互接続された対向対のブロック２２０は、末端ブロック２０２の凹部２１５および凸部２１４それぞれと係合されている対向するブロック２２０の凸部２３３ａおよび凹部２３３ｂにより末端ブロック２０２に相互接続される。さらに、対向するブロック２２０の凹部２３２は、末端ブロック２０２の凹部２１２および２１３と長手方向に整合される。
【００４８】
[0074]また、第２の段２００は、対向するセットのスペーサブロック２６０と交互の、長手方向に分離された横ブロック２４０で構成されている（図５参照）。該横ブロック２４０は添付の図５Ｃ−１から図５Ｃ−３までにより詳細に示されており、一方、スペーサブロック２６０の例示的な１つが添付の図５Ｄ−１から図５Ｄ−３までにより詳細に示されている。
【００４９】
[0075]図５Ｃ−１から図５Ｃ−３までに示されている通り、端部セクション２４１ａ、２４１ｂと中心セクション２４１ｃとで構成されている略Ｉ形の構造体が存在する。ボスセクション２４１ｄが、実質的に、中心セクション２４１ｃの中央領域から外向きに突出している。端部セクション２４１ａ、２４１ｂおよび中心セクション２４１ｃの各々はそれぞれ、ブロック２４０の実質的に平面の上面２４３と対向する実質的に平面の底面２４４とを集合的に画定している。
【００５０】
[0076]ボス２４１ｄの反対側の、ブロック２４０の実質的に垂直の側は、横の実質的に平面の陥凹後面２４１−１ａ、２４１−１ｂを有する第１の陥凹部２４１−１と、実質的に平面の陥凹中心面２４１−２ａを有する第２の陥凹部２４１−２とを画定している、対向する端部セクション２４１ａ、２４１ｂ間に凹角セクションを含む。面２４１−１ａ、２４１−１ｂおよび２４１−１ｃの各々は、共に各縁部を構築するために、平上面２４３と相互に直交している。
【００５１】
[0077]上面２４３は、平行対の実質的に水平の細長い陥凹部２４２、２４３を含む。後面２４１−１ａおよび２４１−１ｂそれぞれは、実質的に垂直の陥凹部２４４と実質的に垂直の細長い突出凸部２４５とを含む。底面２４４は、平行対の実質的に水平の細長い突出凸部２５６、２５７それぞれを含む。凹部２４２および凹部２４４は、後面２４１−１ａと、上面２４３により形成されている各縁部で共に終端する各隣接した端部を含み、一方、凹部２４３および凸部２４５は、上面２４２と後面２４１−１ｂとにより形成されている各縁部で共に終端する各隣接した端部を含むことが観察されるであろう。
【００５２】
[0078]一対の分離された前面２４５ａ、２４５ｂは、ボスセクション２４１ｄと端部セクション２４１ａ、２４１ｂそれぞれとの間に形成されている。前面２４５ａは実質的に垂直の凸部２５２を含み、一方、前面２４５ｂは実質的に垂直の凹部２５３を含む。凹部２４２および凸部２５２は、陥凹前面２４５ａとそれと相互に直交する上面２４３との縁部で共に終端する各隣接した端部を含む。同様に、凹部２４３および凹部２５３は、陥凹前面２４５ｂとそれと相互に直交する上面２４３との縁部で共に終端する各隣接した端部を含む。凸部２５２および２５６は、相互に直交する底面２４４と陥凹前面２４５ａとの間に形成されている縁部で共に終端する各端部を有し、一方、凹部２５３および凸部２５７は、相互に直交する底面２４４と陥凹前面２４５ｂとの間に形成されている縁部で共に終端する各端部を有する。
【００５３】
[0079]図５に認められる通り、ブロック２４０は、そのボス２４１ｄが対向対のブロック２２０の面２２５ａ、２２５ｂ間に延出しており、それによりそれらと共に中心煙道部６０ｂを画定するように、横方向に配置されている。対向対のブロック２２０の終端部は、面２４５ａおよび２４５ｂに当接して隣接するように、セクション２４１ｄの両側の陥凹部内に受容される。したがって、そのような方法では、ブロック２４０の凸部２５２は、ブロック２２０の一方の凹部２３３ｂと相互接続される一方、ブロック２４０の凹部２５３は、ブロック２２０の他方の凸部２３３ａと相互接続される。
【００５４】
[0080]第２の耐火ブロック段２００内に使用されている例示的スペーサブロック２６０が図５Ｄ−１から図５Ｄ−３までに示されている。図示の通り、スペーサブロック２６０は、対向対の前面２６５および後面２６６それぞれと相互に直交する対向対の上面２６３および底面２６４で構成されている。ブロック２６０の側面は、第２の段２００内でのブロック２６０の配置に依存して、横煙道７２、７４それぞれの最下セクション７２ａ、７４ａを画定している（図２Ｃ参照）下向きに外向きに傾斜した面２７０を含む。
【００５５】
[0081]上面２６３は細長い凹部２６２を画定している一方、底面２６４は、該凹部２６２と平行な細長い凸部２６７を画定している。前面２６５および後面２６６それぞれは、細長い平行な凸部２６８および凹部２６９それぞれを画定している。凹部２６２および凸部２６７の各々は、凸部２６８および凹部２６９の対向する端部の各１つと、前面２６５および後面２６６それぞれと相互に直交する上面２６３および底面２６４により形成されている縁部で共に終端する対向する端部を有する。
【００５６】
[0082]当然のことながら、ブロック２０２の凸部２１６、２１７、ブロック２２０の凸部２３６、ブロック２４０の凸部２５６、２５７、およびブロック２６０の凸部２６７は、そのようなブロック２０２、２２０、２４０および２６０が第２の段２００を形成するために配置された場合、互いに長手方向に整合される。これらの凸部２１６、２１７、２３６および２６７は、下にある第１の段１００のブロック１０２、１２０、１４０および１６０の対応する整合された細長い凹部１１２、１１３、１３２、１３３、１５２、１５３、１７２および１７３とさらに相互接続される。したがって、そのような方法で、耐火ブロックの第１の段１００と第２の段２００とは互いに相互接続されている。
【００５７】
[0083]図６は、コーベル構造１２の第３の段３００を形成している、相互接続された耐火ブロックの斜視組立図であり、図６Ａ−１から図６Ｄ−３までが、その個々の耐火ブロックの各図を示す。この関連で、図６Ａ−１から図６Ａ−３までは、第３の段３００の末端ブロック３０２を示す。図示の通り、末端ブロック３０２は、対向する上面３０３および底面３０４それぞれを有する略逆Ｔ形のブロックである。ボスセクション３０２−１がブロック３０２から外向きに突出しており、ボス３０２−１の両側に二次前面３０５ａおよび３０５ｂを越えて突出しているがそれに平行な一次前面３０５を含む。面３０５、３０５ａおよび３０５ｂの各々は実質的に垂直に平面的であり、互いに対して、後面３０６に対して、平行である。さらに、一方では面３０５、３０５ａおよび３０５ｂならびに他方では後面３０６の各々は上面３０３および底面３０４と実質的に相互に直交しており、それにより各平行対の縁部を画定している。ブロック３０２の対向する端部の各々は、対向するＬ形段部３０１ａ、３０１ｂを含んでいる。
【００５８】
[0084]上面３０３は平行対の実質的に水平の細長い陥凹部３１２、３１３を含む。ボス３０２−１上に形成されている前面３０５は、実質的に垂直の細長い突出凸部３１４と実質的に垂直の陥凹部３１５とを含む。底面３０４は、平行対の実質的に水平の細長い突出凸部３１６、３１７を含む。凹部３１２および凸部３１４は、相互に直交する面３０３と３０５との縁部で共に終端する各隣接した端部を含むことが観察されるであろう。同様に、凹部３１５および凸部３１７は、相互に直交する面３０４と３０５との縁部で共に終端する各隣接した端部を含む。一方では凹部３１３、３１５および他方では凸部３１４、３１６は、相互に直交する対の面３０３、３０５および３０４、３０５それぞれの縁部で共に終端する各端部を有する。
【００５９】
[0085]図６Ｂ−１から図６Ｂ−４までは、コーベル構造１２を形成している第３のブロック段３００と関連する第１の煙道ブロック３２０を示す。図示の通り、第１の煙道ブロック３２０は、第３の段３００のどちら側にブロック３２０の特定の１つが配置されるかに応じて、略斜めに方向付けられた煙道セクション７２ｂ、７４ｂを画定している（図２Ｃ参照）。そのような煙道セクション７２ｂ、７４ｂの開口部は、ブロック３２０の長手方向軸および緯度方向軸に対して対称に配置されている、平面図において見たとき実質的に矩形形状の開口部である。
【００６０】
[0086]煙道ブロック３２０は、対向する上平面３２３および底平面３２４それぞれと、ブロック３２０から外向きに突出しているボス３２１上に形成されている実質的に平面の前面３２５とを有する。略Ｌ形の段部３３０が、ボス３２１の反対側にブロック３２０の後側に形成されている。前面３２５は上面３２３および底面３２４と実質的に相互に直交しており、それによりそれらと共に各平行対の上縁部および下縁部を画定している。対向する垂直に平行な側面３２７、３２９が上面３２３および底面３２４と相互に直交している。さらに、ボス３２１の対向する側面３２１ａ、３２１ｂは、上面３２３および底面３２４それぞれと相互に直交している。
【００６１】
[0087]ボス３２１における上面３２３は実質的に水平の細長い陥凹部３３２を含む。ボス３２１の側面３２１ａおよび３２１ｂは、実質的に垂直の細長い凸部３３３および凹部３３４それぞれを含む。底面３２４は、上面３２３に形成されている凹部３３２に平行な実質的に水平の細長い突出凸部３３５を含む。凹部３３２および凸部３３５は、凹部３３４および凸部３３３の各対向する端部と、その各縁部に沿って、側面３２１ａおよび３２１ｂと相互に直交する上面３２３および底面３２４それぞれとの縁部で共に終端する各対向する端部を含むことが観察されるであろう。
【００６２】
[0088]末端ブロック３０２の平行な凹部３１２、３１３それぞれが、煙道ブロック３２０の凹部３３２と長手方向に整合していることが、図６に認められる。さらに、ボス３２１の側面３２１ａ、３２１ｂ上に形成されている凹部３３４および凸部３３２は、間に係止相互接続を実現するために、末端ブロック３０２の前面３０５上に形成されている凸部３１４および凹部３１５と相応に結合される。
【００６３】
[0089]図６Ｃ−１から図６Ｃ−４までは、コーベル構造１２を形成している第３のブロック段３００と関連する第２の煙道ブロック３４０を示す。図示の通り、末端ブロック３０２および第２の煙道ブロック３２０と同様に、第３の煙道ブロック３４０は、第３の段３００内のブロック３４０の配置に応じて、実質的に斜めに配向された煙道セクション７２ｂ、７４ｂを画定している、対応する略逆Ｔ形のブロックである。ブロック３４０の煙道セクション７２ｂ、７４ｂは、平面図において見たとき実質的に方形の開口部であり、ブロック３４０の緯度方向中心線および長手方向中心線に対して対称に配向されている。
【００６４】
[0090]煙道ブロック３４０は、対向する上平面３４３および底平面３４４それぞれと、ブロック３４０から外向きに突出しているボス３４１上に形成されている実質的に平面の前面３４５とを有する。略Ｌ形の段部３５０がボス３４１の反対側にブロック３４０の後側に形成されている。前面３４５は、上面３４３および底面３４４と実質的に相互に直交しており、それによりそれらと共に各平行対の上縁部および下縁部を画定している。対向する垂直に平行な側面３４７、３４９が上面３４３および底面３４４と相互に直交している。さらに、ボス３４１の対向する側面３４１ａ、３４１ｂは上面３４３および底面３４４それぞれと相互に直交している。
【００６５】
[0091]ボス３４１における上面３４３は実質的に水平の細長い陥凹部３５２を含む。ボス３４１の側面３４１ａおよび３４１ｂは実質的に垂直の細長い凸部３５３および凹部３５４それぞれを含む。底面３４４は、上面３４３に形成されている凹部３５２に平行な実質的に水平の細長い突出凸部３５５を含む。凹部３５２および凸部３５５は、凹部３５４および凸部３５３の各対向する端部と、その各縁部に沿って、側面３４１ａ、３４１ｂと相互に直交する上面３４３および底面３４４それぞれとの縁部で共に終端する各対向する端部を含むことが観察されるであろう。
【００６６】
[0092]各煙道ブロック３４０の凹部３５２は、隣接した煙道ブロック３２０の凹部３３２および／または隣接した同様のブロック３４０と長手方向に整合されることが、図６に認められる。さらに、ボス３４１の側面３４１ａ、３４１ｂ上に形成されている凹部３５４および凸部３５３は、間に係止相互接続を実現するために、末端ブロック３０２の前面３０５上に形成されている凸部３１４および凹部３１５と相応に結合される。
【００６７】
[0093]添付の図６Ｄ−１から図６Ｄ−３までおよび図６Ｅ−１から図６Ｅ−３までは、第３のブロック段内で使用されてもよい第１のタイプのスペーサブロック３６０および第２のタイプのスペーサブロック３８０それぞれを示す。この関連で、スペーサブロック３６０と３８０とは、対向する平上面３６３、３８３および平底面３６４、３８４それぞれを有する実質的に矩形のブロックセクションを各々が含むという点において、互いに実質的に同一である。また、スペーサブロック３６０は、実質的に平面の垂直の前面３６５および後面３６６それぞれを含み、それらは上面３６３および底面３６４それぞれと相互に直交している。
【００６８】
[0094]平行セットの離間された凹部３７０、３７１がブロック３６０の上面３６３に形成されている。対応する平行セットの離間された凸部３７２、３７３がブロック３６０の底面３６４上に形成されている。前面３６５および後面３６６は各々、凸部３７４、３７５および凹部３７６、３７７それぞれの各離間されたセットを含むであろう。凹部３７０、３７１および凸部３７２、３７３は各々、凸部３７４、３７５および凹部３７６、３７７の各端部と、相互に直交する面３６３、３６４、３６５および３６６それぞれの縁部で共に終端する対向する端部を有する。
図６Ｄ−１から図６Ｄ−３までに示されているスペーサブロック３６０とは異なり、図６Ｅ−１から図６Ｅ−３までに示されているスペーサブロック３８０は、ボス３８５の両側に実質的に垂直の平前面３８５ａ、３８５ｂを画定している、それから外向きに突出しているボスセクション３８１を含む。ボス３８１自体は、面３８５ａ、３８５ｂに平行であるがそれから離間されている実質的に垂直の平前面３８５を画定している。面３８５、３８５ａおよび３８５ｂの各々は、対向する実質的に垂直の平らな後面３８６に平行である。
【００６９】
[0095]平行セットの離間された凹部３９０、３９１がブロック３８０の上面３８３に形成されている。対応する平行セットの離間された凸部３９２、３９３がブロック３８０の底面３８４上に形成されている。前面３８５ａ、３８５ｂおよび後面３８６は各々、各離間されたセットの凸部３９４、３９５および凹部３９６、３９７それぞれを含むであろう。凹部３９０、３９１および凸部３９２、３９３は各々、凸部３９４、３９５および凹部３９６、３９７の各端部と、相互に直交する面３８３、３８４、３８５ａ、３８５ｂおよび３８６それぞれの縁部で共に終端する対向する端部を有する。
【００７０】
[0096]第１のタイプのスペーサブロックの凹部３７０、３７１が第１の煙道ブロックの凹部３３２と整合されるように、第１のタイプのスペーサブロック３６０は隣接したセットのブロック３２０間に配置されてもよいことが、図６において観察されるであろう。さらに、その凹部３９０、３９１の各々が各凹部３３２および／または３５２それぞれと整合されるように、第２のタイプのスペーサブロック３８０は隣接したブロック３２０および／または３４０間に配置されてもよい。さらに、第１のタイプのスペーサブロック３６０の凸部３７４、３７５および凹部３７６、３７７と、第２のタイプのスペーサブロックの凸部３９４、３９５および凹部３９６、３９７とは、そのようなブロックを互いに連結させるために、ブロック３２０および／または３４０それぞれの凹部３３４、３５４および凸部３３３、３５３の各１つと相互接続される。また、ブロック段３００の整合した凸部３１６、３１７、３３５、３５５、３７２、３７３、３９２、３９３は、第２のブロック段２００と関連する整合した凹部２１２、２１３、２３２、２４２、２４３および２６２に相互接続され、それにより第２のブロック段２００と第３のブロック段３００とそれぞれを互いに相互接続させる。
【００７１】
[0097]ブロック３０２、３２０および３４０それぞれのＬ形段部３０１ａ、３０１ｂ、３３０、３５０は、矩形耐火煉瓦の対応する端部を受容する（それの代表的ないくつかが、図６に参照番号３９９により示されている）。
【００７２】
[0098]図７は、コーベル構造１２の第４の段４００を形成している相互接続された耐火ブロックの斜視組立図であり、図７Ａ−１から図７Ｅ−３まではその個々の耐火ブロックの各図を示す。この関連で、図７Ａ−１から図７Ａ−３までは、第４の段４００の末端ブロック４０２を示す。図示の通り、末端ブロック４０２は、対向する上面４０３および底面４０４それぞれを有する略Ｔ形のブロックである。ボスセクション４０２−１がブロック４０２から外向きに突出しており、ボスセクション４０２−１の両側の二次前面４０５ａおよび４０５ｂを越えて突出しているがそれに平行な一次前面４０５を含む。面４０５、４０５ａおよび４０５ｂの各々は、実質的に垂直に平面的であり、互いに対して、後部ボス４０６−１上に形成されている垂直に平面的な一次後面４０６、およびボス４０６−１の両側に形成されている二次後面４０６ａ、４０６ｂに対して、平行である。さらに、一方では面４０５、４０５ａおよび４０５ｂならびに他方では後面４０６、４０６ａおよび４０６ｂの各々は、上面４０３および後面４０４と実質的に相互に直交しており、それにより各平行対の縁部を画定している。ブロック３０２の対向する端部の各々は逆Ｌ形段部４０１ａ、４０１ｂを含む。
【００７３】
[0099]ボス４０２−１に隣接して形成されている前面４０５ａおよび４０５ｂは、実質的に垂直の細長い突出凸部４１４と、実質的に垂直の陥凹部４１５とを含む。底面４０６は、平行対の実質的に水平の細長い突出凸部４１６、４１７を含む。凹部４１５および凸部４１７は、相互に直交する面４０４と４０５ｂとの縁部で共に終端する各隣接した端部を含むことが観察されるであろう。他方では、凸部４１４、４１６は、相互に直交する対の面４０５ａと４０４との縁部で共に終端する各端部を有する。
【００７４】
[00100]図７Ｂ−１から図７Ｂ−４までは、コーベル構造１２を形成している第４のブロック段４００に使用されている第１のタイプの煙道ブロック４２０を示す。第４の段４００は、末端ブロック４０２に相互接続されている煙道ブロック４２０の対向する背合わせ対を含むことが、図７において観察されるであろう。具体的には、煙道ブロック４２０は、ベースセクション４２１と、ベースセクションの一方の端部から上向きに延在している煙道セクション４２２とを一体的に含み、各々は各上面４２１ａ、４２２ａを画定している。ベースセクション４２１の反対側端部がＬ形段部４２３を含む。ベースセクション４２１と煙道セクション４２２とは、第４の段４００内のブロック４２０の配置に応じて、横煙道７２、７４のセクション７２ｃ、７４ｃを集合的に画定している。
【００７５】
[00101]煙道ブロック４２０は、上面４２１ａ、４２２ａの各々に平行な実質的に水平の底面４２６を有する。一対の実質的に垂直の端面４２７、４２８は、上面４２１ａ、４２２ａおよび底面４２６ならびに後面４２９と相互に直交している。端面４２７、４２８は、実質的に垂直の凹部４３０および実質的に垂直の凸部４３１それぞれを含み、一方、底面４２６は実質的に水平の凸部４３２を含む。底面４２６上に形成されている凸部４３２の対向する端部は、端面４２７および４２８それぞれに形成されている凹部４３０と凸部４３１の端部と、相互に直交する底面４２６と側面４２７、４２８との各縁部で共に終端する。
【００７６】
[00102]凹部４３０および凸部４３１が末端ブロック４０２の凸部４１４および凹部４１５と相互接続するように、一対の煙道ブロック４２０が末端ブロック４０２に隣接して配置されてもよいことが、図７から観察されるであろう。
【００７７】
[00103]第２のタイプの煙道ブロック４４０および第３のタイプの煙道ブロック４６０それぞれが、図７Ｃ−１から図７Ｄ−３までにより示されている。この関連で、第１のタイプの煙道ブロック４４０と第２のタイプの煙道ブロック４６０とは、各々が、Ｌ形横段部領域４４３ａ、４４３ｂおよび４６３ａ、４６３ｂそれぞれを画定するために、ベースセクション４４１、４６１と、該ベースセクション４４１、４６１から上向きに延在している中心プラットフォームセクション４４２、４６２とを含むという点において、互いに実質的に同一である。中心煙道６０の実質的に垂直の煙道部６０ｄと、横煙道７２、７４の略斜めに配向された煙道セクション７２ｃ、７４ｃとが、ベースセクション４４１、４６１およびプラットフォームセクション４４２、４６２それぞれにより画定されている。プラットフォームセクション４４２、４６２の上面４４４、４６４は、ベースセクション４４１、４６１の底面４４５、４６５と実質的に水平に平行である。実質的に垂直の対向する前面４４６、４６６および後面４４７、４６７は、上面４４４、４６４および底面４４５、４６５それぞれと相互に直交している。
【００７８】
[00104]前面４４６、４６６は平行な垂直に配向された凸部４４８、４６８および凹部４４９、４６９の対を含む一方、後面４４７、４６７は、鏡像対の平行な垂直に配向された凹部４５０、４７０および凸部４５１、４７１を含む。底面４４５、４６５は、水平に平行な対の凸部４５２、４７２および４５３、４７３を含む。該凸部４５２、４７２および４５３、４７３の各端部は、凸部４４８、４５１および４６８、４７１と凹部４４９、４５０および４６９、４７０の１つの各端部と、相互に直交する前面４４６、４６６および後面４４７、４６７と底面４４５、４６５との間に構築されている縁部で共に終端する。ブロック４４０は、後面４４７から外向きに突出しているボス４４７ａを含む。
【００７９】
[00105]第４のブロック段４００に使用されている例示的長手方向スペーサブロック４８０は図７Ｅ−１から図７Ｅ−３までに示されている。図７に示されている通り、スペーサブロック４８０は、ブロック４２０、４４０および４６０に端から端まで横に隣接して配置されている。各スペーサブロック４８０は、対向する平行な実質的に水平の上面４８１および底面４８２それぞれを有する略矩形の本体を含む。Ｌ形段部４８３がブロック４０２の一方の側に形成されている。上面４８１はそこに形成されている細長いチャネル４８５を含む。
【００８０】
[00106]その実質的に垂直に配向された後面４８７が横煙道セクション７２ｃ、７４ｃの一部を集合的に形成するように、ブロック４２０、４４０および４６０のＬ形段部４２３、４４３ａ、４４３ｂ、４６３ａおよび４６３ｂは、スペーサブロック４８０の各１つを収容するために定寸されている。スペーサブロック４８０のＬ形段部４８３は、（そのいくつかが参照番号４９９により図７において同定される）耐火床煉瓦の端部領域を受容するようになされている。
【００８１】
[00107]当然のことながら、本明細書に与えられている記載は、現在、本発明の最も実践的な好適な実施形態であると考えられる。したがって、本発明は、開示されている実施形態に限定されないが、一方、その精神および範囲内に含まれる様々な修正形態および同等の装置を包含することが意図されている。
以下に、本願出願当初の特許請求の範囲に記載された発明を付記する。
［１］  コークス炉のためのコーベル構造であって、
複数の実質的に垂直に配向された中心煙道と複数の斜めに配向された横煙道とを画定している複数の積み重ねられた耐火ブロック段の組立体、ここにおいて、
前記組立体における少なくとも１つの耐火ブロック段が複数のさねはぎ相互接続された耐火ブロックを含み、ここにおいて、
前記少なくとも１つの段の前記複数の相互接続された耐火ブロックは、縁部を画定していると共に、外向きに突出している細長い凸部と陥凹している細長い凹部とをそれぞれ含む、相互に実質的に直交する面を備え、ここにおいて、
前記細長い凸部および前記細長い凹部は、前記耐火ブロックの前記相互に直交する面により画定されている前記縁部で互いに共に終端する各隣接した端部を含む、
を含む、コーベル構造。
［２］  前記複数の積み重ねられた耐火ブロック段は、前面を有する各末端ブロックを含み、前記前面は実質的に垂直に配向された凸部と、前記凸部と平行な実質的に垂直に配向された凹部とを含み、前記前面の前記凸部および前記凹部は、前記段内で隣接したブロックの実質的に垂直の面の凹部および凸部それぞれと相互接続されている、［１］に記載のコーベル構造。
［３］  前記少なくとも１つの段内の前記ブロックの上面は、前記少なくとも１つの段上に隣接して積み重ねられた段の底面に形成されている、対応するセットの長手方向に延在している凸部を受容するために、平行なセットの長手方向に延在している凹部を有する、［１］に記載のコーベル構造。
［４］  前記少なくとも１つの段は、前記コーベル構造の各垂直に配向された煙道の少なくとも１つの部分を各々が画定している複数の煙道ブロックを含む、［１］に記載のコーベル構造。
［５］  また、前記複数の煙道ブロックの各々は、前記中心煙道の横方向に配置されている、前記コーベル構造の少なくとも１つの斜めに配向された煙道の部分を画定している、［４］に記載のコーベル構造。
［６］  前記少なくとも１つの段は、対向する鏡像対の略十字形のブロックを含む、［５］に記載のコーベル構造。
［７］  前記十字形ブロックは、細長い中心セクションと、内向きに突出している脚セクションと、外向きに突出している脚セクションとを備え、前記内向きに突出している脚セクションおよび前記外向きに突出している脚セクションの各々は前記細長い中心セクションに対して実質的に垂直である、［６］に記載のコーベル構造。
［８］  前記内向きに突出している脚セクションは、平行な実質的に垂直に配向された凸部と凹部とを含む、［７］に記載のコーベル構造。
［９］  前記十字形ブロックの側面は、前記外向きに突出している脚セクションの両側に一対の下向きに外向きに傾斜した面を含む、［８］に記載のコーベル構造。
［１０］  前記少なくとも１つの段は、複数の交互の、各対のスペーサブロックと相互接続されている略Ｉ形の横ブロックを含む、［５］に記載のコーベル構造。
［１１］  前記Ｉ形横ブロックは、対向する端部セクションと、前記端部セクション間の中心セクションと、前記中心セクションの実質的な中間領域から外向きに突出しているボスとを含む、［１０］に記載のコーベル構造。
［１２］  前記横ブロックは前記ボスの反対側に実質的に垂直の側を含み、前記実質的に垂直の側は、横方向の実質的に平面の陥凹後面を有する第１の陥凹部と、実質的に平面の陥凹中心面を有する第２の陥凹部とを画定している前記対向する端部セクション間に凹角セクションを含む、［１１］に記載のコーベル構造。
［１３］  前記スペーサブロックは下向きに外向きに傾斜した横方向側面を含む、［１０］に記載のコーベル構造。
［１４］  前記横煙道の斜めに配向された煙道セクションを画定している横煙道ブロックをさらに備え、前記横煙道ブロックは、前記ブロックの一方の側から外向きに延在しているボスと、前記ボスの反対側の前記ブロックの側から外向きに延在している略Ｌ形の段部とを含む、［１０］に記載のコーベル構造。
［１５］  前記ボスは、形成されている凸部および凹部それぞれを有する対向する側面を含む、［１４］に記載のコーベル構造。
［１６］  前記横煙道ブロックは、煙道部への実質的に矩形の開口部を画定している上面を有し、前記開口部は、前記煙道ブロックの長手方向軸および緯度方向軸に対して対称に配置されている、［１４］に記載のコーベル構造。
［１７］  前記横煙道ブロックは、煙道部への実質的に矩形の開口部を画定している上面を有し、前記開口部は、前記煙道ブロックの長手方向中心線に対して非対称にオフセットされているが、前記煙道ブロックの緯度方向中心線に対して対称に配置されている、［１４］に記載のコーベル構造。
［１８］  前記少なくとも１つの段は、ベースセクションと、前記ベースセクションから上向きに延在しているプラットフォームセクションとを有する複数の横ブロックを備える、［５］に記載のコーベル構造。
［１９］  前記横ブロックは、前記コーベル構造の前記中心煙道の実質的に垂直に配向された中心煙道部と、対向する、前記コーベル構造の前記横煙道の斜めに配向された横煙道部とを備える、［１８］に記載のコーベル構造。
［２０］  前記少なくとも１つの段は、ベースセクションと、前記ベースセクションの一方の端部から上向きに延在している煙道セクションとを一体的に含む煙道ブロックの背合わせ対を備える、［５］に記載のコーベル構造。
【図１】
0006704912.tif 000002
【図２Ａ】
0006704912.tif 000003
【図２Ｂ】
0006704912.tif 000004
【図２Ｃ】
0006704912.tif 000005
【図３】
0006704912.tif 000006
【図４】
0006704912.tif 000007
【図４Ａ−１】
0006704912.tif 000008
【図４Ａ−２】
0006704912.tif 000009
【図４Ａ−３】
0006704912.tif 000010
【図４Ｂ−１】
0006704912.tif 000011
【図４Ｂ−２】
0006704912.tif 000012
【図４Ｂ−３】
0006704912.tif 000013
【図４Ｃ−１】
0006704912.tif 000014
【図４Ｃ−２】
0006704912.tif 000015
【図４Ｃ−３】
0006704912.tif 000016
【図４Ｄ−１】
0006704912.tif 000017
【図４Ｄ−２】
0006704912.tif 000018
【図４Ｄ−３】
0006704912.tif 000019
【図５】
0006704912.tif 000020
【図５Ａ−１】
0006704912.tif 000021
【図５Ａ−２】
0006704912.tif 000022
【図５Ａ−３】
0006704912.tif 000023
【図５Ｂ−１】
0006704912.tif 000024
【図５Ｂ−２】
0006704912.tif 000025
【図５Ｂ−３】
0006704912.tif 000026
【図５Ｃ−１】
0006704912.tif 000027
【図５Ｃ−２】
0006704912.tif 000028
【図５Ｃ−３】
0006704912.tif 000029
【図５Ｄ−１】
0006704912.tif 000030
【図５Ｄ−２】
0006704912.tif 000031
【図５Ｄ−３】
0006704912.tif 000032
【図６】
0006704912.tif 000033
【図６Ａ−１】
0006704912.tif 000034
【図６Ａ−２】
0006704912.tif 000035
【図６Ａ−３】
0006704912.tif 000036
【図６Ｂ−１】
0006704912.tif 000037
【図６Ｂ−２】
0006704912.tif 000038
【図６Ｂ−３】
0006704912.tif 000039
【図６Ｂ−４】
0006704912.tif 000040
【図６Ｃ−１】
0006704912.tif 000041
【図６Ｃ−２】
0006704912.tif 000042
【図６Ｃ−３】
0006704912.tif 000043
【図６Ｃ−４】
0006704912.tif 000044
【図６Ｄ−１】
0006704912.tif 000045
【図６Ｄ−２】
0006704912.tif 000046
【図６Ｄ−３】
0006704912.tif 000047
【図６Ｅ−１】
0006704912.tif 000048
【図６Ｅ−２】
0006704912.tif 000049
【図６Ｅ−３】
0006704912.tif 000050
【図７】
0006704912.tif 000051
【図７Ａ−１】
0006704912.tif 000052
【図７Ａ−２】
0006704912.tif 000053
【図７Ａ−３】
0006704912.tif 000054
【図７Ｂ−１】
0006704912.tif 000055
【図７Ｂ−２】
0006704912.tif 000056
【図７Ｂ−３】
0006704912.tif 000057
【図７Ｂ−４】
0006704912.tif 000058
【図７Ｃ−１】
0006704912.tif 000059
【図７Ｃ−２】
0006704912.tif 000060
【図７Ｃ−３】
0006704912.tif 000061
【図７Ｄ−１】
0006704912.tif 000062
【図７Ｄ−２】
0006704912.tif 000063
【図７Ｄ−３】
0006704912.tif 000064
【図７Ｅ−１】
0006704912.tif 000065
【図７Ｅ−２】
0006704912.tif 000066
【図７Ｅ−３】
0006704912.tif 000067